(57)【特許請求の範囲】
【請求項１】
ａ）負荷に接続可能な商用電源と、
ｂ）前記負荷に接続可能なバックアップ電源と、
を備えた無停電電源システムであって、
前記バックアップ電源は、
ｉ．多量の圧縮気体を収容する容器と、
ｉｉ．前記商用電源が無くなると所定の圧力で前記容器から気体を放出する弁と、
ｉｉｉ．前記弁に接続され、前記容器から前記気体が放出されると該気体を受けるスクロール膨張器であって、前記気体が前記膨張器を通過することにより回転する回転部材を有する膨張器と、
ｉｖ．前記回転部材に駆動されて前記負荷に前記バックアップ電力を供給する発電機と、
ｖ．前記発電機と連結し、設定電圧において動作するＤＣパワーコンディショニングユニットと、
ｖｉ．前記パワーコンディショニングユニットと、前記負荷と、の間に接続された電力変換器と、
ｖｉｉ．前記スクロール膨張器に導入された前記気体の流れを、前記設定電圧及び前記負荷が要求するバックアップ電力のレベルに従って決定された圧力となるように絞りによって調整する調整器と、
を備え、
前記パワーコンディショニングユニットは、前記商用電源が無くなったとき、又は前記発電機による前記バックアップ電力の供給中に前記負荷の電力要求が変化したときに、前記発電機により供給される前記バックアップ電力が前記負荷の要求に合致するまでバックアップ電源を提供する少なくとも一のキャパシタエネルギー貯蔵を有する、無停電電源システム。
【請求項２】
前記容器に結合され、そこへ圧縮乾燥された気体を供給するための多段階空気圧縮機と乾燥機と、を含む、請求項１に記載のシステム。
【請求項３】
前記容器は、圧力３００ｂａｒ又はその附近、及び露点−３０℃又はその附近で気体を保持する、請求項１に記載のシステム。
【請求項４】
前記多段階空気圧縮機を商用電源から駆動するように適合する、請求項２に記載のシステム。
【請求項５】
前記圧力調整器及び前記気体放出弁が電動制御システムに接続されている、請求項１に記載のシステム。
【請求項６】
前記気体放出弁は、通常開いていて通電すると閉状態になるタイプであり、商用電源が存在している間、使用中の当該弁は電気的に閉に維持されていて、商用電源が停電すると開いて前記調整器から気体が供給される、請求項１に記載のシステム。
【請求項７】
前記スクロール膨張器は、膨張器として動作するように再構成されたオイル無しのスクロール圧縮機である、請求項１に記載のシステム。
【請求項８】
前記スクロール膨張器は、周囲空気より低い温度で大気圧まで膨張するように気体を放出する、請求項１に記載のシステム。
【請求項９】
前記パワーコンディショニングユニットの少なくとも一の前記キャパシタは、前記負荷からの電力要求が変化した場合に電力を放出又は吸収する為にも働く、請求項１に記載のシステム。
【請求項１０】
前記パワーコンディショニングユニットは、少なくとも一の前記キャパシタエネルギー貯蔵と、電圧測定装置と、電流測定装置とを有するＤＣリンクを含む、請求項９に記載のシステム。
【請求項１１】
前記膨張器の出力から放出された気体の一部を再利用し、容器から膨張器に供給される気体に取り込むための手段を含む、請求項１に記載のシステム。
【請求項１２】
多量の圧縮気体を収容するようにそれぞれ適合された複数の容器を含み、前記容器は互いに縦列につながっている、請求項１に記載のシステム。
【請求項１３】
前記調整器は、測定電圧及び測定電流の入力を使用する電動制御システムによって制御される、請求項１に記載のシステム。
【請求項１４】
前記電動制御システムは、前記測定電圧及び測定電流を乗算して前記負荷の電力要求を決定し、これにより前記膨張器に入る前記気体の必要圧力を提供するための入力値を決定する、請求項１３に記載のシステム。
【請求項１５】
前記入力値は、前記測定電圧を設定電圧と比較して得られた差を比例‐積分‐微分（ＰＩＤ）制御部及びリミッターに適用して決定された電圧エラー信号と合計され、その合計が、前記要求圧力を決定する電子空気圧調整器の入力値とされる、請求項１４に記載のシステム。
【請求項１６】
前記スクロール膨張器及び前記発電機は通常の商用電源の供給時において作動しない、請求項１に記載のシステム。
【請求項１７】
商用電源に連結されるように構成された負荷に接続される瞬時バックアップ電源であって、
ｉ．多量の圧縮気体を収容する容器と、
ｉｉ．前記商用電源が無くなると所定の圧力で前記容器から気体を放出する弁と、
ｉｉｉ．前記弁に接続され、前記容器から前記気体が放出されると該気体を受けるスクロール膨張器であって、前記気体が前記膨張器を通過することにより回転する回転部材を有する膨張器と、
ｉｖ．前記回転部材に駆動されて前記負荷に前記バックアップ電力を供給する発電機と、
ｖ．前記発電機と連結し、設定電圧において動作するＤＣパワーコンディショニングユニットと、
ｖｉ．前記パワーコンディショニングユニットと、前記負荷と、の間に接続された電力変換器と、
ｖｉｉ．前記スクロール膨張器に導入された前記気体の流れを、前記設定電圧及び前記負荷が要求するバックアップ電力のレベルに従って決定された圧力となるように絞りによって調整する調整器と、
を備え、
前記パワーコンディショニングユニットは、前記商用電源が無くなったとき、又は前記発電機による前記バックアップ電力の供給中に前記負荷の電力要求が変化したときに、前記発電機により供給される前記バックアップ電力が前記負荷の要求に合致するまでバックアップ電源を提供する少なくとも一のキャパシタエネルギー貯蔵を有している、瞬時バックアップ電源。
【発明の詳細な説明】
【技術分野】
【０００１】
本発明は、バックアップ電力を発電してコンピュータや通信システムのような設備に無停電電源を提供するシステムに関する。
【背景技術】
【０００２】
従来、バックアップ電力は、化石燃料を使用して運転され、よくバッテリーにより始動される予備発電機により供給されていた。予備発電機を始動させまたは無停電電源にエネルギーを蓄積するために使用されるバッテリーは、限られた寿命があり、著しいメンテナンスの負担がある。高温の気候では、バッテリー寿命のさらなる減少や、電子制御システムを動作させておく為だけでなく空調でそれらを冷やしておくためのエネルギーの必要によって、問題が複雑になる。  
【発明の開示】
【発明が解決しようとする課題】
【０００３】
本発明の目的は、バックアップ電力を発電しながら、冷涼な動作温度にシステムを維持する為に冷涼な環境を作り出すシステムを提供することである。そのような発電システムは、化石燃料を使用することなく且つバッテリーに頼ることなく動作する。
【課題を解決するための手段】
【０００４】
本発明によると、ａ）負荷に接続可能な商用電源と、ｂ）前記負荷に接続可能なバックアップ電源と、を備えた電源システムであって、前記バックアップ電源は、ｉ．多量の圧縮気体を収容する容器と、ｉｉ．前記商用電源が無くなると所定の圧力で前記容器から気体を放出する弁と、ｉｉｉ．前記弁に接続され、前記容器から前記気体が放出されると該気体を受けるスクロール膨張器であって、前記気体が前記膨張器を通過することにより回転する回転部材を有する膨張器と、ｉｖ．前記回転部材に駆動されて前記負荷に前記バックアップ電力を供給する発電機と、ｖ．前記発電機と連結したＤＣパワーコンディショニングユニットと、ｖｉ．前記パワーコンディショニングユニットと、前記負荷と、の間に接続された電力変換器と、ｖｉｉ．前記スクロール膨張器に導入された前記気体の流れを、前記負荷が要求するバックアップ電力のレベルに従って決定された圧力となるように絞りによって調整する調整器と、を備え、前記パワーコンディショニングユニットは、前記負荷への供給が中断され、前記負荷の前記電力要求が変化したときに、前記発電機により供給される前記バックアップ電力が前記負荷の要求に合致するまでバックアップ電源を提供する少なくとも一のキャパシタエネルギー貯蔵を有する、電源システムが提供される。
【０００５】
エネルギーは約３００ｂａｒの圧力で容器に貯蔵された気体に内包されている。貯蔵された圧縮気体は室温で劣化しないので、長い動作寿命を有する信頼できるエネルギー貯蔵を提供する可能性を秘めている。このようにして、圧縮気体を膨張させると、機械的エネルギーを回収することが可能であり、発電機を使用して機械的エネルギーを電気エネルギーに変換することが可能である。このシステムは、電力が必要な時に圧縮気体を容器から調整器を通して放出し、約１０ｂａｒの減圧された圧力の気流を与えるように動作する。気体はその後、スクロール膨張器に供給され、そこを気体が通過することでスクロール膨張器が機械的に回転し、その時スクロール膨張器が、スクロール膨張器の軸に接続されている発電機を機械的に回転させ、必要な電力を提供する。
【発明を実施するための最良の形態】
【０００６】
本発明の実施の態様を、添付図面を参照してほんの一例として説明する。
【０００７】
図１のシステムは、例えば、エネルギーにして約１１ｋＷｈに匹敵する乾燥圧縮空気３００リットルを収容する圧力容器１１に充填するように適合された多段階空気圧縮機と乾燥機１０である。乾燥空気は露点(due point)−３０℃で貯蔵される。容器１１が鉄鋼製の場合に腐食を防ぐ為に、また空気が膨張した時に着氷を防ぐ為に、乾燥空気は重要である。斯かる約３００ｂａｒの高圧の空気を用意することで、比較的小さな体積で相当な密度のエネルギー保存が可能になる。圧縮機１０は商用電源により駆動される。
【０００８】
空気を斯かる高圧に圧縮することにより相当量の低位熱が生成されるが、これは圧縮機に消費され又は何か他の用途に利用されてもよい。容器１１は、工業プロセスの気体を貯蔵する為に使用されるような容器と同様に鉄鋼構成であってよい。あるいは容器は、自動車産業において圧縮天然ガスを収容するのに使用されるような炭素繊維で出来ていてもよい。
【０００９】
貯蔵された空気の圧力を約１０ｂａｒの動作レベルまで減圧するように設定することが可能な圧力調整器１２が、容器１１から圧縮空気を受けるように適合されて圧縮空気の下流にある。システムの出力電力を決定する為に、電子操作される制御システム１３によりその出力圧について制御される。
【００１０】
圧力調整器１２の出口に、通常開いていて通電により閉状態になるタイプのソレノイド弁１４がある。商用電気の供給がある間は弁は電気的に閉ざされていて、しかるに電気供給が無くなれば弁は開いて調整器から空気を供給する。調整器１２から通過する貯蔵されていた空気は、開いている時ソレノイド弁１４を経てスクロール膨張器１５に供給される。この装置は、事実上、膨張器として動作するように構成し直された、オイル無しのスクロール圧縮機である。動作において、圧力１０ｂａｒの圧縮空気は膨張器を通過するとそこで大気圧まで膨張し、その膨張作用によりスクロール膨張器１５の軸１５ａが回転する。
【００１１】
スクロール膨張器１５を離脱した膨張された空気は乾燥していてオイル及び汚染物を含まず、温度０℃未満である。この冷却された空気は、システムの電子機器を冷やし電子機器を含む部屋を空調するのに理想的である。
【００１２】
スクロール膨張器はより伝統的なレシプロ型、羽根型及びタービン型膨張器と比べて高効率な機械である。
【００１３】
例えば１５Ｖ直流の電源を生み出す電磁発電機１６が膨張器１５の軸１５ａに機械的に接続されている。これは、バックアップ電力が供給されるべき機器による要求に応じて増減してよい。
【００１４】
パワーコンディショニングユニット１７は出力を制御し、また制御ユニット１３へ電源を提供する。ユニット１７は少量の電気エネルギーを蓄えるキャパシタを含む。このキャパシタは、商用主電源から完全に充電された状態を保ち、電源が落ちた時に、スクロール膨張器１５及び発電機１６が必要電力を生成できるまでの、達成に１秒以上かかる間、キャパシタがバックアップ電源を提供する。それゆえ、システムはただのバックアップ電力ではなく、真の無停電電源を提供できる。
【００１５】
使用において、通常の商用電源が利用可能なときは、スクロール膨張器システムは動作せず、予備エネルギーは容器１１に蓄えられる。
【００１６】
無停電電源は、商用電源が落ちた際ただちに必要となる。
【００１７】
停電直後、スクロール膨張器１５及び発電機１６が動作速度に到達し必要な電力を送り出す間の初期において、電気供給は、パワーコンディショニングユニット１７内のキャパシタエネルギー貯蔵(capacitor energy store)から維持される。
【００１８】
さらに、ユニット１７は膨張器１５及び発電機１６からの遅い応答を、要求される負荷における迅速な変化に対応させるという第２の役割を果たす。例えば、電力出力要求が、ほぼ瞬時に３００Ｗから６００Ｗに変化すると仮定した場合、システムは、負荷における変化に反応する為に有限の時間がかかり、その間、キャパシタエネルギー貯蔵が不足分を補填する。反対に、出力要求が瞬時に６００Ｗから３００Ｗに減少する場合は、またしても膨張器／発電機が減少したスピード及び出力に到達する為に有限の時間がかかり、その間、キャパシタエネルギー貯蔵が膨張器／発電機により送り出される過剰のエネルギーを吸収する。
【００１９】
本発明にかかるシステムは、真に無停電な電源を提供すると同時に、このように膨張器１５から流れ出し電子設備の空調及び冷却に使用可能な、オイルを含まない清浄で乾燥した空気を貯蔵及び放出し、化石燃料やバッテリーの使用に依存しない、ということが評価されるであろう。圧縮機１０と膨張器１５は大気の汚染を避けるべく、実質的にオイル無しで動作する。
【００２０】
ここで図２を参照して、システムを介した電力の流れが更に強化された第２の実施例を示す。商用電源は２０１に図示され、整流器２０２で整流されてＤＣリンクを通過し電力変換器２０４で要求される負荷に適した形に変換されるＡＣ電源からなる。
【００２１】
ＤＣリンクはキャパシタエネルギー貯蔵２１２と、電圧測定装置ＶＭＤと、電流測定装置ＣＭＤとを有する。
【００２２】
電力変換器２０４により提供される直流電力は、例えば、通信設備用の４８Ｖ直流であってもよいし、或いは、電力変換器２０４は、電源周波数及び電圧負荷に対して合成された交流電力を与える電源インバーターの形で提供され得る。
【００２３】
商用電源が中断した時に、システムは図１の空気溜め１１に相当する加圧空気供給２０６からの動作に切り換わる。エネルギーは、空気ソレノイド２０７と電子式空気調整器２０８に流される加圧空気の中に内包されている。調整器２０８は空気が膨張するスクロール膨張器２０９に空気流を調整するための絞りとして働く。
【００２４】
スクロール膨張器２０９は、機械的に交流発電機２１０を駆動して交流電力を発電する。これは、出力がＤＣリンク２０３に接続された第２整流器２１１により直流電力に変換される。このように、電力はＤＣリンクを介して出力電力変換器２０４へ流れ負荷２０５に供給される。
【００２５】
臨界動作速度に到達するための充分な時間を膨張器２０９に与えるために、及び負荷要求における素早い変化に対応する為に、キャパシタエネルギー貯蔵２１２がＤＣリンクに設けられている。
【００２６】
空気動作中、即ち、商用供給が中断しているときの電力流の管理は、電子制御部２１３により行われる。制御アルゴリズムは図３において図説されており、ここで、３０１ではＤＣリンク電圧及び電流が連続的に監視され、３０２では要求される電圧が信号乗算により計算される。制御部はこのように任意の負荷要求に対して必要な空気圧を出力することの可能な膨張器の動作の為の数理モデル３０３を含む。
【００２７】
同時に、３０４では実際のＤＣリンク電圧が設定ＤＣリンク電圧と比較され、３０５ではエラー信号が生成される。この信号は、比例−積分−微分（ＰＩＤ）制御部３０６及びリミッター３０７を通過し、圧力調整信号を与える。
【００２８】
最後に、３０８では、モデル３０３からの負荷要求由来の圧力信号と、制御部２１３から出る前の圧力調整信号とが、電子空気圧調整器２０８及び空気ソレノイド２０７を設定する設定圧信号３０９として足し合わされる。
【００２９】
常に、制御部２１３は２０１で電源存在リレー(mains-present relay)を介して商用電源を監視している。３１０では電源存在信号(mains-present signal)が信号インバータ３１１を通過して、空気ソレノイド２０７を制御し３０９において設定圧信号をゲートでコントロールする為に使用される。このようにして、電源電気供給が利用可能な時は、空気ソレノイドが「オフ」であり設定圧信号は遮断される。
【００３０】
現在入手可能な空気膨張器は、圧縮空気を不足膨張する(under-expand)傾向があり、このようにして大気圧より大きい圧力であって相当のエネルギーをなお内包している排気を放出している。以下はこの不足膨張された空気に含まれるエネルギーを回収して、システムの効率を最適化するシステムの説明である。
【００３１】
空気膨張器は、大気圧に対する駆動気圧の比よりも低い圧縮比を有する。例として、空気膨張器１５、２０９は３：１の膨張比を有しうる。斯かる膨張器は、要求される電力出力を送り出す為に９ｂａｒの圧力で空気を供給する必要がある。この場合、空気は未だ相当のエネルギーを内包している３ｂａｒで膨張器から出て行く。図４は加圧排気からエネルギーを回収するシステムを図示する。
【００３２】
上述したような低い膨張比の膨張器の場合、膨張器からの出口の圧力が背圧弁の使用により大気圧より大きい圧力に保持されているならば、逸失する電力出力は最小になる。斯かる弁を図４において４１に示す。空気は通常、膨張器により要求されるよりもずっと高圧で得られるので、所定量の電力を生産する為に必要な空気の量を低減するためにその高圧空気を使用して、膨張器からの空気のうち幾分かの圧力を増加することは可能である。
【００３３】
高圧空気はまず、調整器４３により、膨張器ベンチュリ４２を駆動するのに適した一定の圧力に低減しなければならない。それから空気は駆動空気としてベンチュリ内に入り、これは、大気圧であるか又は圧力開放弁４１を含む場合はより高い圧力であり得る膨張器の出口からの低圧空気を取り込む。このようにして、低圧の出口側空気は、逆止弁４５を通過してベンチュリ４２内へ入る。混合した空気は駆動空気と取り込まれた空気の間の圧力レベルで消費される。
【００３４】
もし負荷の電力要求が可変であるならば、膨張器に入る圧力を制御信号に対応して変えるために、さらなる圧力調整器４６を含んでもよい。この調整器は、図２の２０８で図示された、電子制御システム２１３により作動される調整器に相当する。
【００３５】
追加の弁４７を、高需要時に充分な空気供給を確保する為の調整器、又は、高圧空気源からの圧力がベンチュリ４２を駆動するのに充分なレベルを下回ったときに開くソレノイド弁、のいずれかとして導入してよい。
【００３６】
典型的な動作圧力をそれぞれの弁／調整器に対し図４に示す。斯かる圧力では、膨張器４４を通る気流の約２５％は、ベンチュリを経て除去され、膨張器を再び通過する。
【００３７】
ここで説明したような、そして本発明による、バックアップ電力を発電するシステムは、遠隔充填機能(remote filling capability)とともに活用しても良い。即ち、従来バックアップ電力を提供する為バッテリーを有している遠隔通信端末のような、遠隔地に設置され与圧される貯蔵庫内に高圧縮空気を設けても良い。このようにして、遠隔端末キャビネット内にここで説明したような発電システムを内蔵して、必要な時、即ち商用電源が落ちたときに動作するようにしてもよい。ゆえに、圧縮空気駆動のバックアップ電力システムは、必要な時に作動し、バックアップバッテリー一式に比べて占有するスペースはかなり小さい。圧縮空気を収容するタンク又は貯蔵庫は、大きくてもよく、地上又は地下のいずれか若しくは必要な時に迅速にそれを交換可能な別個の筐体内にあってもよいので、通常の遠隔端末キャビネット内のスペースを占有する必要は無い。
【００３８】
本発明を上記実施例のみに限定する意図は無い。例えば、容器１１は工業プロセスから生じるような、空気以外の気体を収容しても良い。さらに、短期間に頻繁に商用電源の停電が発生する場合に、斯かる容器をいくつか縦列に接続してシステムの稼動時間を増加させても良い。
【図面の簡単な説明】
【００３９】
【図１】第１の実施の態様に従い、バックアップ電力を発電するシステムの主要構成要素のブロック図である。
【図２】第２の実施の態様の構成要素の同様の図である。
【図３】制御アルゴリズムを説明する図である。
【図４】図１及び２のシステムからエネルギーを回収するシステムの構成要素を説明する図である。
【図１】
0004863446.tif 000002
【図２】
0004863446.tif 000003
【図３】
0004863446.tif 000004
【図４】
0004863446.tif 000005